(57)【要約】【課題】  木材のもつメリットを損ねることなく、外観品質の点でも機能の点でも優れた外装体を提供する。【解決手段】  木材からなりデジタルカメラ１のケーシング２であって、表面に圧縮率変化によって形成された色調変化部であるスライドカバーの円形部、接触部４０、把持部４２Ｒ，４３Ｒ、ＺＯＯＭ文字４４を設けたことを特徴とする。【選択図】        図２
2005254494.tif 000002
【特許請求の範囲】
【請求項１】
圧縮木材からなり、各種機器類の外側部分を構成する外装体であって、圧縮率が部分的に異なるように圧縮して色調変化部を形成したことを特徴とする外装体。
【請求項２】
前記色調変化部を特定の部位に形成することを特徴とする請求項１に記載の外装体。
【請求項３】
前記特定の部位が、把持部または接触部であることを特徴とする請求項２に記載の外装体。
【請求項４】
前記色調変化部が文字、図形、記号等の表示部を形成することを特徴とする請求項１に記載の外装体。
【請求項５】
前記色調変化部が、凸部または凹部であることを特徴とする請求項１に記載の外装体。
【発明の詳細な説明】
【技術分野】
【０００１】
この発明は、例えば、カメラ、携帯電話等の各種機器類の外側部分を構成し、圧縮木材から形成された外装体に関する。
【背景技術】
【０００２】
カメラ、携帯電話、ＩＣレコーダ、ＰＤＡ（Personal Digital Assistant）、あるいはテレビ、ビデオ、エアコン等の家庭用電化製品のリモコン等の各種機器類の外装体は、使用頻度が高いこともあって、堅牢性が要求されると共に意匠性を高めるため塗装や蒸着メッキ等を施す必要がある。そのため、これら機器類は樹脂や金属により成形されるのが一般的である。
ところが、このように機器類の外装体を樹脂、金属で成形すると堅牢性、意匠性は高められる反面、冷たい感じを与え手になじみ難いものとなってしまう。
【０００３】
一方、木や竹といった木材を外装体として用いれば、使用者の手になじみ暖かさを与える点で優れているため、携帯した場合にも愛着のもてるものとして注目されつつある。
例えば、このような木材の自然素材としての暖かさを生かしつつ、工業製品としての意匠性を高めるために木目模様に人工的な装飾性を施すものが知られている（特許文献１参照）。
しかしながら、外装体として用いた場合には、前述した従来技術のような人工的な装飾だけでは不十分であり、意匠上、表示上、部分的に色調を変えたい場合がある。
【特許文献１】特開平１１−２２６９１５号公報
【発明の開示】
【発明が解決しようとする課題】
【０００４】
ところが、意匠上、表示上、部分的に色調を変えたい部分に塗装を施すと、塗装工程が必要となり、製造工数が嵩むという問題がある。また、塗装を施した部分は剥がれが生じ易く経時的な劣化が避けられず商品品質が低下するという問題がある。
さらに、塗装を施してしまうと木材としての外観が損なわれ、木材のもつ暖かさや、手触りが失われ木材を用いるメリットそのものが損なわれてしまう。
【０００５】
そこで、この発明は、圧縮工程のみで製造でき、外観品質の経時的劣化が少なく、木材のもつメリットを損ねることがない外装体を提供することを目的とする。
【課題を解決するための手段】
【０００６】
上記目的を達成するために、請求項１に記載した発明は、圧縮木材からなり、各種機器類（例えば、実施形態におけるデジタルカメラ１）の外側部分を構成する外装体（例えば、実施形態におけるケーシング２）であって、圧縮率が部分的に異なるように圧縮して色調変化部（例えば、実施形態におけるスライドカバー２６の円形部３０、突条３３、接触部４０、把持部４２Ｆ，４３Ｆ，４２Ｒ，４３Ｒ、ＺＯＯＭ文字４４）を形成したことを特徴とする。
このように構成することで、木材の特質である暖かさや、手になじむ感覚を損ねることなく、塗装やプリントによらずに製造段階でワンアクションで一部品内に形成された色調変化部により塗装と同等の外観品質を得ることができる。
【０００７】
請求項２に記載した発明は、前記色調変化部を特定の部位（例えば、実施形態におけるスライドカバー２６の円形部３０、突条３３）に形成することを特徴とする。
このように構成することで、特定の部品の位置が一目で分かり外観上もアクセントとして機能させることができる。
【０００８】
請求項３に記載した発明は、前記特定の部位が、把持部（例えば、実施形態における把持部４２Ｆ，４３Ｆ，４２Ｒ，４３Ｒ）または接触部（例えば、実施形態における接触部４０）であることを特徴とする。
このように構成することで、使用者の意識を向けさせたい部位を直感的に示したり、使用者が操作をする上での指標とすることができる。また、把持部を高圧縮率で成形すれば頻繁に把持しても密度が高く汚れにくく、仮に汚れが付着したとしてもふき取ることができる。そして、接触部を低圧縮率で成形すれば、使用者が頻繁に接触部に触れても密度が低いため使用者の汗などを吸収できる。
【０００９】
請求項４に記載した発明は、前記色調変化部（例えば、実施形態におけるＺＯＯＭ文字４４）が文字、図形、記号等の表示部を形成することを特徴とする。
このように構成することで、塗装やプリントによらずに圧縮工程で文字、図形、記号等の表示部を形成できる。
【００１０】
請求項５に記載した発明は、前記色調変化部が、凸部（例えば、実施形態における突条３３）または凹部であることを特徴とする。
このように構成することで、凸部、凹部を圧縮により設けると同時に前記部位を色調変化部とすることができる。
【発明の効果】
【００１１】
請求項１に記載した発明によれば、木材の特質である暖かさや、手になじむ感覚を損ねることなく、塗装やプリントによらずに製造段階でワンアクションで一部品内に形成された色調変化部により塗装と同等の外観品質を得ることができるため、剥がれがなく経時的使用によっても外観品質の劣化がなく、むしろ使用によって木材独特の外観の変化という楽しみを与えてくれるという効果がある。
【００１２】
請求項２に記載した発明によれば、特定の部位の位置が一目で分かり外観上もアクセントとして機能させることができるため、全体としては木目で統一され、部分的に色調が変化し塗装では実現できない特有の外観を構成して外観品質を高めることができる。
【００１３】
請求項３に記載した発明によれば、使用者の意識を向けさせたい部位を直感的に示したり、使用者が操作をする上での指標とすることができ、これを塗装、印刷によらず圧縮成形時に形成できるため、製造工数を削減しながら使い勝手のよい製品の外観を構成することができる効果がある。
また、把持部を高圧縮率で成形すれば頻繁に把持しても密度が高く汚れにくく、仮に汚れが付着してもふき取ることができるため、経時的使用によっても汚れによる外観品質の低下を最小限に抑えることができる効果がある。そして、接触部を低圧縮率で成形すれば、使用者が頻繁に接触部に触れても密度が低くいため使用者の汗などを吸収できるため快適に使用できる効果がある。
【００１４】
請求項４に記載した発明によれば、塗装やプリントによらずに圧縮工程で文字、図形、記号等の表示部を形成できるため、製造工数を大幅に削減できる効果がある。
【００１５】
請求項５に記載した発明によれば、凸部、凹部を圧縮により設けると同時に前記部位を色調変化部とすることができるため、塗装やプリントによって前記部位に色調変化部を施す必要がなくなる。
【発明を実施するための最良の形態】
【００１６】
次に、この発明の実施形態を図面に基づいて説明する。この実施形態では電子機器の外装体としてデジタルカメラ（機器）１のケーシング（外装体）２に適用した場合を例にして説明する。具体的には、ケーシング２を構成する一部品内に圧縮率が異なり色調が変化する部位を設け、塗装、プリントを廃止できるようにしたものである。尚、内部機構については説明を省略する。
図１に示すように、デジタルカメラ１はケーシング２の前面に撮影レンズ３を備え、撮影レンズ３の上部にファインダ４が配置されている。前記ファインダ４の向かって右側にはストロボ５が設けられている。ケーシング２の上面の向かって左側にはシャッタ６とこのシャッタ６の更に左側にズームボタン７が配置されている。このズームボタン７はズームインとズームアウトをボタン上部の爪部８を手前側あるいは奥側に倒すことで切り替えるものである。
【００１７】
図２に示すようにケーシング２の背面には前記撮影レンズ３によって取り込まれた映像を表示する液晶モニタ９が向かって左寄りに配置されている。この液晶モニタ９は撮影レンズ３で撮影された画像を表示すると共に、後述するファンクションキーセット１０の操作により、各種のモード設定を行う際の選択項目やコメントを表示する。液晶モニタ９の左側の上部には前記ストロボ５をＯＮ，ＯＦＦするストロボスイッチ１１が設けられている。このストロボスイッチ１１をＯＮにすると、撮影状態に応じて自動的にストロボ５が発光する。
【００１８】
液晶モニタ９の右側には、ファンクションキーセット１０が配置されている。このファンクションキーセット１０は弧状に形成された４つのファンクションキー１２，１２…からなり、同心円上に配置され、前記液晶モニタ９を撮影モードから設定モードへ変更すると共にモード変更した場合に、液晶モニタ９に表示された各種項目の選択を行うためのものである。尚、選択にあたっては上下のファンクションキー１２，１２は上下のスクロールを左右のファンクションキー１２，１２は左右の選択を行うなど、各ファンクションキー１２の上下左右の配置が選択される項目の位置に対応している。尚、合計４つのファンクションキー１２の中央部にボタンを設けてもよい。
また、前記液晶モニタ９とファンクションキー１２との間であって後述する後側ケーシング１５の上部にはファインダ接眼部１３が配置されている。
【００１９】
ここで、前記ケーシング２は木材を圧縮加工して形成されデジタルカメラ１の前面側を構成する前側ケーシング１４とデジタルカメラ１の背面側を構成する後側ケーシング１５とで半割状に構成されている。
図１に示すように、前側ケーシング１４には前記撮影レンズ３のレンズ開口部２０、ストロボ５を露出させるストロボ開口部２１、及びファインダ４を開口させるファインダ開口部２２が形成されている。前側ケーシング１４の上面にはシャッタ６を突出させるためのシャッタ開口部２３が形成されている。
【００２０】
前側ケーシング１４の向かって右側にはストロボ５に一部がかかるようにして下側に延びる把持部（色調変化部、特定の部位）４２Ｆが形成されている。また、前側ケーシング１４の左側にも把持部（色調変化部、特定の部位）４３Ｆが形成されている。これら把持部４２Ｆ，４３Ｆはハッチングを施していない部分である一般部４１に比較して圧縮率が高く色の濃い高圧縮率色調変化部で形成されている。この高圧縮率色調変化部は使用者の右手と左手で押圧される部分を中心にした範囲に設定され、デジタルカメラ１を構えた場合にデジタルカメラ１を前側で支えるために押圧される部位である。
【００２１】
前側ケーシング１４の前記段差面２５の上下には各々横方向に係止溝２７，２７が形成され、この係止溝２７，２７にスライドカバー２６の上下縁部２８，２９が横方向にスライド可能に係止されている。そして、前側ケーシング１４は前記レンズ開口部２０の左半分から左側が奥側に一般面２４に対して有段成形され、段差面２５に前記ファインダ開口部２２が形成され、このファインダ開口部２２と前記撮影レンズ３とがスライドカバー２６で開閉可能に覆われるようになっている。
このスライドカバー２６は使用時には開位置に後退して撮影レンズ３及びファインダ４を段差面２５に露出させ、使用しない場合には閉位置で撮影レンズ３及びファインダ４を覆い傷つき等を防止するものである。また、開操作して開位置となるとシステムのスイッチがＯＮとなるようになっている。
【００２２】
具体的には、スライドカバー２６は上縁部２８から下縁部２９に向かって中央部が前側に湾曲する形状の部材である。
スライドカバー２６の右縁部３１には上下方向中央部に前記撮影レンズ３の右半分を覆う半円形部３０ａが形成され、この上下の右縁部３１及び半円形部３０ａが、前記前側ケーシング１４の段差部３２に整合し、かつ一般面２４に面一に形成されている。ここで、前記半円形部３０ａの外輪線はそのままスライドカバー２６の表面に延長され、ここに、円形部（色調変化部、特定の部位）３０が形成されている。
【００２３】
また、スライドカバー２６の左側縁近傍には、上下方向に断面三角形状の突条（特定の部位、色調変化部、凸部）３３が形成されている。この突条３３はスライドカバー２６の開時に使用者が指を係止するためのものである。
そして、ハッチングで示すこれら円形部３０と突条３３は、それ以外の部分であるハッチングを施していないベース部３９に比較して圧縮率が高く色の濃い高圧縮率色調変化部で形成されている。尚、前記円形部３０と突条３３以外の部分であるベース部３９は前側ケーシング１４の一般部４１と同様の圧縮率に設定されている。したがって、スライドカバー２６にはベース部３９とこれとは圧縮率の異なる部位である円形部３０、突条３３が形成されることとなる。
【００２４】
図２に示すように、後側ケーシング１５には液晶モニタ９のモニタ開口部３４、４つのファンクションキー１２を突出させるファンクションキー開口部３５、ファインダ接眼部１３の接眼部開口部３６、及びストロボスイッチ１１のスイッチ開口部３７が形成されている。後側ケーシング１５の上面にはズームボタン７を突出させるボタン開口部３８が形成されている。
【００２５】
前記後側ケーシング１５には、ファンクションキーセット１０の配置位置に、接触部（色調変化部、特定の部位）４０が形成されている。この接触部４０はハッチングを施していない部分である一般部４１に比較して圧縮率の低い低圧縮率色調変化部で形成されている。この低圧縮率色調変化部は各ファンクションキー１２を押圧する際に木材のもつ通気性を最大限に生かし、使用者から発せられる汗、熱気を吸収するために設けられている。
【００２６】
また、この接触部４０の上部に隣接して、後側ケーシング１５の向かって右側には前記ファンクションキーセット１０を逃げるようにして下側に延びる把持部（色調変化部、特定の部位）４３Ｒが形成されている。この把持部４３Ｒはハッチングを施していない部分である一般部４１に比較して圧縮率の高い高圧縮率色調変化部で形成されている。この高圧縮率色調変化部は使用者の右手、とりわけ親指で押圧される部分を中心にした範囲に設定され、人差し指でシャッタ６を押圧する際にデジタルカメラ１を支えるために親指で押圧される部位である。
【００２７】
また、これに対応して後側ケーシング１５の向かって左側にも下側に延びる把持部（色調変化部、特定の部位）４２Ｒが形成されている。この把持部４２Ｒもハッチングを施していない部分である一般部４１に比較して圧縮率の高い高圧縮率色調変化部で形成されている。この高圧縮率色調変化部は使用者の左手、とりわけ親指で押圧される部分を中心にした範囲に設定されデジタルカメラ１を支えるために押圧される部位である。
また、前記右側の把持部４３Ｒの上部には前記ズームボタン７に対応する位置に高圧縮率色調変化部よりも圧縮率を低くした低圧縮率色調変化部によりＺＯＯＭ文字（色調変化部、表示部）４４が形成されている。
【００２８】
次に、図３〜図６に基づいてスライドカバー２６の製造方法について説明する。ここで、前側ケーシング１４及びスライドカバー２６は共に圧縮木材により圧縮成形されたものである。前側ケーシング１４には前述したように左右の前面に一般部４１より高い圧縮率で圧縮されて高圧縮率色調変化部で形成された色の濃い把持部４２Ｆ，４３Ｆが設けられているが、これら把持部４２Ｆ，４３Ｆの製造方法を含む前側ケーシング１４の製造方法については、より複雑な構成をしている後側ケーシング１５において説明するため説明は省略する。したがって、ここではスライドカバー２６の製造方法についてのみ説明する。
【００２９】
図４に示すように、図示しないラムに昇降可能に支持された上型６１を下型６２に対して昇降させて、予め木材により素成形された素材６３を圧縮成形する。木材としては、例えば、檜、檜葉、桐、チーク、マホガニー、杉、松、桜、竹等が用いられる。素材６３は型成形後に圧縮率の異なる複数の部分が成形されるようになっている。また、この素材６３は予め高温高圧の水蒸気雰囲気中に配置することで、過剰に水分を吸収させて軟化した状態にしておき、これらを高温高圧の水蒸気雰囲気中のもとでプレス成形する。
具体的には素材６３は、図３及び図４に鎖線で示すように外径形状は成形後のスライドカバー２６の外形形状とほぼ同様な形状であるが、スライドカバー２６の半円形部３０ａを含む円形部３０に対応する円形部形成部６６は厚さを増加して形成してある。そして、前記突条３３に対応して前面に同一断面の突条形成部６５が形成され、この突条形成部６５の裏側には、これに対応して上型６１に形成された凸部６１ａが押圧されるようになっている。
【００３０】
ここで、この突条形成部６５における圧縮率と、前記円形部形成部６６における圧縮率に差が生じないようになっており、スライドカバー２６の突条３３と円形部３０とが同様の色の濃さとなるように設定されている。
したがって、スライドカバー２６は円形部３０と突条３３との圧縮率が高いため両者が色の濃い部分として形成され、それ以外の部分であるベース部３９は通常の色の部分となる。よって、このスライドカバー２６は通常の色のベース部３９と、これに対して色の濃い円形部３０と突条３３とで色調の変化した部分を備えることとなり、デジタルカメラ１前面のアクセントとして機能すると共に、開閉する部位が一目で使用者に認識できるようになっている。
【００３１】
このように形成された素材６３を高温高圧の水蒸気雰囲気中のもとで、図４に示すよう下型６２にセットし上型６１を下降してプレス成形する。ここで、前記素材６３はやや複雑な形状をしているが、上型６１と下型６２とで形成されるキャビティの形状は、スライドカバー２６の製品形状となっている。そして、この圧縮状態のまま所定の時間放置すると、素材６３は、当初の厚さの１／２から１／３程度にまで圧縮させられたものとなる。
したがって、図５に示すようにプレス成形後に型開きした後、高温高圧の水蒸気雰囲気を解消して、スライドカバー２６を取り出すと、図６に示すように、円形部３０及び突条３３は色の濃い高圧縮率色調変化部で形成されることとなり、それ以外の部分であるベース部３９は通常の色の部分となる。
【００３２】
つまり、木材の性質上、圧縮率の高い高圧縮率色調変化部は、通常の圧縮率の部位に比較して濃い色調、つまり色が濃くなり、圧縮の度合いに応じて色調、つまり色の濃さが異なる部位が形成されるのである。
よって、円形部３０と突条３３とが色の濃い高圧縮率色調変化部となり、それ以外の部分は通常の色の部分となる。これにより、スライドカバー２６には通常の色の部分と、コントラストの違う色の濃い部位が存在することとなり、ユニークな外観を得ることができる。尚、図１、図５、図６において、スライドカバー２６の円形部３０、突条３３は密度の高いドットハッチングで示している。
【００３３】
次に、後側ケーシング１５の製造方法について説明する。
図９に示すように、図示しないラムに昇降可能に支持された上型５０を下型５１に対して昇降させて、予め木材により素成形された素材５２を圧縮成形する。木材として、例えば、檜、檜葉、桐、チーク、マホガニー、杉、松、桜、竹等が用いられ、この素材５２は予め高温高圧の水蒸気雰囲気中に配置して過剰に水分を吸収させ軟化した状態にしておき、これを高温高圧の水蒸気雰囲気中のもとでプレス成形する点及び成形後に高温高圧の水蒸気雰囲気を解消する点等の基本的構成は前述したスライドカバー２６の製造方法と同様である。
【００３４】
前記素材５２は、図７、図８に示すものが用いられる。尚、図７において裏側の形状は図示を省略する。素材５２は予め設定された前記後側ケーシング１５の一般部４１の圧縮率に対して型成形後に圧縮率の異なる部分が成形されるように特殊な形状に成形されている。
つまり、前記左右の把持部４２Ｒ，４３Ｒとなる部分は一般部４１に対して高圧縮率に成形するため肉厚が厚い台部５３，５４として形成され、具体的には素材５２表面から両者は突出するように形成されている。
【００３５】
そして、前記接触部４０となる部分に対応する位置には、前記台部５３に境界部分を隣接する凹設部５５が形成されている。
また、前記台部５３の上部には図８に詳示するように前記ＺＯＯＭ文字４４に対応して「ＺＯＯＭ」の彫り文字５６が凹設されている。尚、この「ＺＯＯＭ」の彫り文字５６の深さは任意であり、結果として前記台部５３よりも圧縮率が低くなればよい。尚、前記モニタ開口部３４、接眼部開口部３６及びスイッチ開口部３７は素材の段階で形成されている。
【００３６】
このように形成された素材５２を、図９に矢印で示すよう下型５１にセットして上型５０を矢印で示すように下降してプレス成形する。ここで、前記素材５２は複雑な形状をしているが、上型５０と下型５１とで形成されるキャビティの形状は、後側ケーシング１５の製品形状となっている。
【００３７】
したがって、プレス成形後に型開きして取り出すと、図２に示すように台部５３，５４は高い圧縮率で圧縮され高圧縮率色調変化部で形成された色の濃い把持部４３Ｒ，４２Ｒとなり、凹設部５５は低い圧縮率で圧縮されて、一般部４１より色の薄い低圧縮率色調変化部で形成された接触部４０となる。また、彫り文字５６はＺＯＯＭ文字４４として把持部４２の中に色は薄いが一般部４１よりは色の濃い高圧縮色調変化部として形成される。
尚、図２において、一般部４１よりも高圧縮率で圧縮された部位は密度の高いドットハッチングで示し、低圧縮率で圧縮された部位は密度の低いドットハッチングで示す。
【００３８】
その結果、把持部４３Ｒ，４２Ｒは一般部４１より濃い色となり、接触部４０は一般部４１より薄い色となる。また、ＺＯＯＭ文字４４は一般部４１よりも濃く、把持部４３Ｒ，４２Ｒよりも薄い色となる。よって、一部品に色調の異なる複数の部位が圧縮成形と同時にワンアクションで形成されることとなる。
尚、この前側ケーシング１４の把持部４２Ｆ，４３Ｆは上述した後側ケーシング１５の把持部４２Ｒ、４３Ｒと同様にして形成される。
【００３９】
上記実施形態によれば、基本的に、木材の特質である暖かさや、手になじむ感覚を損ねることなく、塗装やプリントによらずに製造段階でワンアクションで形成された部分的に色調が変化した色調変化部により塗装と同等の外観品質を得ることができるため、剥がれがなく経時的使用によっても外観品質の劣化がなく、むしろ使用によって木材独特の外観の変化という楽しみを与えてくれる。
【００４０】
また、スライドカバー２６の位置が一目で分かり外観上もアクセントとして機能させることができるため、かつ全体としては木目で統一され、スライドカバー２６の中に部分的に色調が変化した部分を形成できるため、塗装では実現できない特有の外観を構成して外観品質を高めることができる。
【００４１】
そして、接触部４０や把持部４２Ｒ，４３Ｒ，４２Ｆ，４３Ｆなど使用者の意識を向けさせたい部位を周囲と色の異なる部分として示すことができるため、使用者が操作をする上での指標とすることができ、経時的使用によっても剥がれるようなこともない。よって、これを塗装、印刷によらず圧縮成形時にワンアクションで形成できるため、製造工数を削減しながら使い勝手のよい製品の外観を構成することができる。
【００４２】
また、前記把持部４２Ｒ，４３Ｒ，４２Ｆ，４３Ｆが一般部４１よりも高圧縮率で圧縮された色の濃い部位であるため、この部位を頻繁に把持しても、高圧縮率であるため密度が高く汚れにくく、仮に汚れがついたとしても直ぐにふき取れる部分であるので汚れ難く、その結果、経時的使用によっても汚れによる外観品質の低下を最小限に抑えることができる。
【００４３】
そして、接触部４０が一般部４１よりも低圧縮率で圧縮された色の薄い部位であるため、使用者の指が頻繁に接触しても、低圧縮率であり密度が低く、使用者の汗などを吸収することができ、快適に使用できる。
【００４４】
また、ズームボタン７の位置をＺＯＯＭ文字４４で示唆してあるが、塗装やプリントによらずに製造段階でワンアクションでこれら記号、文字の表示部分を形成でき、製造工数を大幅に削減できる。
また、これら圧縮成形で製造された部位には塗装のような場合のように乾燥工程が必要ないので、製造時間が短縮できる。
そして、スライドカバー２６の突条３３を圧縮率が高く色の濃い部分として圧縮により形成すると共にこの突条３３を高圧縮色調変化部とすることができるため塗装やプリントを施す必要がなくなる。また、突条３３は色の濃い部分であるため一目で見て分かると共に硬度が高いため指を引っかけたときの支持剛性が高く、耐久性の点でも有利である。
【００４５】
尚、この発明は前記実施形態では機器類としてデジタルカメラ１を例にして説明したが、フィルム式のカメラ、携帯電話、ＩＣレコーダ、ＰＤＡ、あるいはテレビ、ビデオ、エアコン等の家庭用電化製品のリモコン等に適用することができる。また、把持部４２Ｒ，４３Ｒ，４２Ｆ，４３Ｆを低圧縮率で形成して接触部４０を高圧縮率で形成してもよい。
そして、上述した実施形態のＺＯＯＭ文字４４は一例であって、ロゴ、型式、会社名等様々な文字、記号、図形に適用することができる。スライドカバー２６の突条３３に替えて指が引っ掛かる凹部を形成し、この凹部を高圧縮率色調変化部としてもよい。
【図面の簡単な説明】
【００４６】
【図１】この発明の実施形態のデジタルカメラの正面から見た斜視図である。
【図２】この発明の実施形態のデジタルカメラの背面から見た斜視図である。
【図３】この発明の実施形態のスライドカバーの素材の斜視図である。
【図４】この発明の実施形態の製造工程を示す断面図である。
【図５】この発明の実施形態の製造工程を示す断面図である。
【図６】この発明の実施形態の製造後の製品の断面図である。
【図７】この発明の実施形態の後側ケーシングの素材の斜視図である。
【図８】図６の部分拡大図である。
【図９】この発明の実施形態の製造工程を示す断面図である。
【符号の説明】
【００４７】
１  デジタルカメラ（機器）
２  ケーシング（外装体）
２６  スライドカバー
３０  円形部（特定の部位、色調変化部）
３３  突条（特定の部位、色調変化部、凸部）
４０  接触部（色調変化部、特定の部位）
４２Ｆ，４３Ｆ，４２Ｒ，４３Ｒ  把持部（色調変化部、特定の部位）
４４  ＺＯＯＭ文字（色調変化部、表示部）
【図１】
2005254494.tif 000003
【図２】
2005254494.tif 000004
【図３】
2005254494.tif 000005
【図４】
2005254494.tif 000006
【図５】
2005254494.tif 000007
【図６】
2005254494.tif 000008
【図７】
2005254494.tif 000009
【図８】
2005254494.tif 000010
【図９】
2005254494.tif 000011